(57)【要約】      （修正有）【課題】回転可能な切替支持柱を備えるラチェット仕組みを提供する。【解決手段】ラチェット仕組みは、ヘッド１０と、環装部材２０と、スリーブ部材３０を有し、ヘッド１０は、内部に組立空間が形成され、両側に組立空間と連通する組立穴が形成され、環装部材２０は、ヘッド１０の組立空間に設置され、内周面に内歯車２１が形成され、スリーブ部材３０は、環装部材２０に噛み合わされると共に、ヘッド１０に水平方向に挿設され、保持座３１と、回転軸と、切替支持柱と、回転部３４を備え、そのうち、保持座３１がヘッド１０の組立空間に挿し込まれ、回転軸は、回転可能に保持座３１に挿設され、切替支持柱は、径方向に回転軸に貫設され、両端にそれぞれボール３３２、３３６が回転可能に嵌め込まれ、一方のボールを介して保持座の内周面に当接し、他方のボールが回転部３４の内側面に当接し、回転部３４は、保持座３１に枢設され、その一端の歯が環装部材２０の内歯車２１に噛み合わされる。【選択図】図４
0003208832.tif 000002
【実用新案登録請求の範囲】
【請求項１】
内部に組立空間が形成され、相対する両側にそれぞれ組立空間と連通する組立穴が形成され、中空状を呈するヘッドと、
前記ヘッドの組立空間に設置され、内周面に内歯車が形成される環装部材と、
前記環装部材に噛み合わされると共に、前記ヘッドに水平方向に挿設され、保持座と、回転軸と、切替支持柱と、回転部を備え、そのうち、保持座における、一端がヘッドの組立穴から突出し、他端がヘッドの組立空間に挿し込まれ、該保持座の他端に挿設部が設けられ、該挿設部の一側面の中心に当接穴が凹設され、前記回転軸は、回転可能に挿設部に挿設され、前記切替支持柱は、回転軸に貫設され、第一筒体と、第一ボールと、バネと、当接部材を備え、該第一ボールが回転可能に第一筒体の一端に嵌め込まれ、該バネが第一筒体の他端に嵌め込まれ、該当接部材がバネの周囲に環設されるように、第一筒体の他端に嵌め込まれ、前記回転部は、保持座に枢設されると共に、内側面を介して切替支持柱の第一ボールに係合され、前記回転部の一端の歯が環装部材の内歯車に噛み合わされる、スリーブ部材を有することを特徴とする回転可能な切替支持柱を備えるラチェット仕組み。
【請求項２】
前記当接部材が第二筒体及び第二ボールを備え、
前記バネの一端が第二筒体に嵌め込まれ、
前記第二ボールが回転可能に第二筒体に嵌め込まれると共に、保持座の当接穴の内周面に当接しながら回転することを特徴とする請求項１に記載の回転可能な切替支持柱を備えるラチェット仕組み。
【請求項３】
前記第二筒体における、一端に第二バネ凹部が凹設され、他端に第二ボール凹部が凹設され、
前記バネの一端が第二筒体の第二バネ凹部嵌め込まれ、
前記第二ボールが回転可能に第二筒体の第二ボール凹部に嵌め込まれることを特徴とする請求項２に記載の回転可能な切替支持柱を備えるラチェット仕組み。
【請求項４】
前記当接部材は、円筒状を呈し、一端に第二バネ凹部が凹設され、他端に当接凸部が凸設され、
前記バネの他端が当接部材の第二バネ凹部に嵌め込まれ、
前記当接凸部が保持座の当接穴に当接することを特徴とする請求項１に記載の回転可能な切替支持柱を備えるラチェット仕組み。
【請求項５】
前記回転部の内側面に３つの弧状の係合凹部が凹設され、
前記切替支持柱が回転部の１つの係合凹部に係合されることを特徴とする請求項１乃至４の何れか１項に記載の回転可能な切替支持柱を備えるラチェット仕組み。
【考案の詳細な説明】
【技術分野】
【０００１】
本考案は、特に回転可能な切替支持柱を備えるラチェット仕組みに関するものである。
【背景技術】
【０００２】
ラチェットレンチは、ラチェット構造を用いてナットなどの部品を締め付けたり緩めたりするものであり、そのラチェット構造の内部に、一体成形の切替支持部材が設置され、該切替支持部材の一端が半球形に設けられ、ラチェットレンチを使用する時、その切替支持部材がラチェット構造に当接しながら回転することから、それらの部材を摩損する問題があった。
【０００３】
前記切替支持部材を回転する過程において、切替支持部材を摩損して使用寿命を短くなる問題を解決するために、台湾の特許第Ｉ５３５５４０号のラチェットレンチが開示されており、そのラチェットレンチは、切替支持部材の先端にボールが回転可能に嵌め込まれ、ラチェットレンチを使用する時、切替支持部材がボールを介してラチェット構造に当接しながら回転することから、切替支持部材とラチェットとの間の摩擦を減少し、切替支持部材の使用寿命を延ばすことができる。
【考案の概要】
【考案が解決しようとする課題】
【０００４】
しかしながら、前記ラチェットレンチは、ボールを取り付けるために、スリーブ部材の周壁に取付穴が形成され、取付穴にボールを押し出すためのバネが嵌め込まれ、バネの一端が取付穴の周壁に当接することから、バネを長時間に亘って頻繁に使用すると、バネが変形してしまう問題があった。
【課題を解決するための手段】
【０００５】
本考案の回転可能な切替支持柱を備えるラチェット仕組みは、
内部に組立空間が形成され、相対する両側にそれぞれ組立空間と連通する組立穴が形成され、中空状を呈するヘッドと、
前記ヘッドの組立空間に設置され、内周面に内歯車が形成される環装部材と、
前記環装部材に噛み合わされると共に、前記ヘッドに水平方向に挿設され、保持座と、回転軸と、切替支持柱と、回転部を備え、そのうち、保持座における、一端がヘッドの組立穴から突出し、他端がヘッドの組立空間に挿し込まれ、該保持座の他端に挿設部が設けられ、該挿設部の一側面の中心に当接穴が凹設され、前記回転軸は、回転可能に挿設部に挿設され、前記切替支持柱は、回転軸に貫設され、第一筒体と、第一ボールと、バネと、当接部材を備え、該第一ボールが回転可能に第一筒体の一端に嵌め込まれ、該バネが第一筒体の他端に嵌め込まれ、該当接部材がバネの周囲に環設されるように、第一筒体の他端に嵌め込まれ、前記回転部は、保持座に枢設されると共に、内側面を介して切替支持柱の第一ボールに係合され、前記回転部の一端の歯が環装部材の内歯車に噛み合わされる、スリーブ部材を有する。
【０００６】
かかる回転可能な切替支持柱を備えるラチェット仕組みにおいて、
前記当接部材が第二筒体及び第二ボールを備え、
前記バネの一端が第二筒体に嵌め込まれ、
前記第二ボールが回転可能に第二筒体に嵌め込まれると共に、保持座の当接穴の内周面に当接しながら回転することが好ましい。
【０００７】
かかる回転可能な切替支持柱を備えるラチェット仕組みにおいて、
前記第二筒体における、一端に第二バネ凹部が凹設され、他端に第二ボール凹部が凹設され、
前記バネの一端が第二筒体の第二バネ凹部嵌め込まれ、
前記第二ボールが回転可能に第二筒体の第二ボール凹部に嵌め込まれることが好ましい。
【０００８】
かかる回転可能な切替支持柱を備えるラチェット仕組みにおいて、
前記当接部材は、円筒状を呈し、一端に第二バネ凹部が凹設され、他端に当接凸部が凸設され、
前記バネの他端が当接部材の第二バネ凹部に嵌め込まれ、
前記当接凸部が保持座の当接穴に当接することが好ましい。
【０００９】
かかる回転可能な切替支持柱を備えるラチェット仕組みにおいて、
前記回転部の内側面に３つの弧状の係合凹部が凹設され、
前記切替支持柱が回転部の１つの係合凹部に係合されることが好ましい。
【考案の効果】
【００１０】
本考案に係る回転可能な切替支持柱を備えるラチェット仕組みは、当接部材を有し、該当接部材が第二ボールを介して回転可能に保持座の当接穴に接触しながら回転するため、バネの一端が直接に保持座の枢設軸に当接することはないことから、バネの使用寿命を延ばすことができる。
【図面の簡単な説明】
【００１１】
【図１】本考案の第一実施例の分解図である。
【図２】本考案の第一実施例のスリーブ部材の部分断面分解図である。
【図３】本考案の第一実施例の回転軸及び切替支持柱の部分断面分解図である。
【図４】本考案の第一実施例における保持座を時計回りに回転した状態の説明図である。
【図５】本考案の第一実施例において、保持座を反時計回りに回転した状態の説明図である。
【図６】本考案の第二実施例の断面図である
【考案を実施するための形態】
【００１２】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１３】
本考案に係る回転可能な切替支持柱を備えるラチェット仕組みの第一実施例は、図１及び図２に示すように、ヘッド１０と、環装部材２０と、スリーブ部材３０を有する。
【００１４】
前記ヘッド１０は、中空状を呈し、その内部に組立空間１１が形成され、上部に開口が形成され、該開口をカバーするように蓋１２が取り付けられ、ヘッド１０の前後両側にそれぞれ、組立空間１１と連通する組立穴１３が形成される。
【００１５】
図１及び図２に示すように、前記環装部材２０は、ヘッド１０の組立空間１１に設置され、環状を呈し、その内周面に内歯車２１が形成される。
【００１６】
図１乃至図３に示すように、前記スリーブ部材３０は、環装部材２０に噛み合わされると共に、ヘッド１０に水平方向に挿設され、保持座３１と、回転軸３２と、切替支持柱３３と、回転部３４を備え、そのうち、保持座３１は、ヘッド１０の組立空間１１及び環装部材２０の内歯車２１に挿し込まれ、一端がヘッド１０の組立穴１３から突出し、挿設部３１１及び枢設軸３１２を備え、該挿設部３１１は、階段状の円柱であり、スリーブ部材３０の前端に設けられ、前側面の中心に当接穴３１３が凹設され、外周面の上部付近にアーチ状の収容溝３１４が凹設され、該当接穴３１３と収容溝３１４を連通する連通穴３１５が形成され、後側面に位置決め部３１６が延設され、該枢設軸３１２は、挿設部３１１の収容溝３１４に貫設される。
【００１７】
前記回転軸３２は、回転可能に挿設部３１１の当接穴３１３に挿設され、盤部３２１及び軸部３２２を備え、該盤部３２１は、挿設部３１１の前端面に当接するように取り付けられ、該軸部３２２は、盤部３２１の後端から一体に延設され、中空状のチューブであり、径方向の外周面から内部まで貫通する収容穴３２３が形成される。
【００１８】
前記切替支持柱３３は、回転軸３２の収容穴３２３に挿し込まれ、挿設部３１１の連通穴３１５から突出し、第一筒体３３１と、第一ボール３３２と、バネ３３３と、当接部材３３４を備え、該第一筒体３３１は、円筒状を呈し、一端に第一バネ凹部３３１１が凹設され、他端に第一ボール凹部３３１２が凹設され、該第一筒体３３１における第一ボール凹部３３１２がある一端が軸部３２２の収容穴３２３に挿入され、該第一ボール３３２は、一部を露出するように、回転可能に第一筒体３３１の第一ボール凹部３３１２に嵌め込まれ、該バネ３３３は、一端が第一バネ凹部３３１１に当接するように、第一筒体３３１の第一バネ凹部３３１１に嵌め込まれ、該当接部材３３４は、バネ３３３の周囲に環設されると共に、第一筒体３３１の第一バネ凹部３３１１に嵌め込まれる。
【００１９】
第一実施例における当接部材３３４は、第二筒体３３５及び第二ボール３３６を備え、該第二筒体３３５は、円筒状を呈し、一端に第二バネ凹部３３５１が凹設され、他端に第二ボール凹部３３５２が凹設され、前記バネ３３３は、他端が第二バネ凹部３３５１に当接するように第二筒体３３５の第二バネ凹部３３５１に嵌め込まれ、該第二ボール３３６は、回転可能に第二筒体３３５の第二ボール凹部３３５２に嵌め込まれ、また、一部を露出するように、保持座３１の当接穴３１３の内周面に当接しながら回転することができる。
【００２０】
前記回転部３４は、収容溝３１４に設置されると共に、揺動可能に枢設軸３１２に枢設され、長型ブロックであり、その上端及び底端にそれぞれ、環装部材２０の内歯車２１に噛み合う歯３４１が設けられ、内側面に波状構造が形成され、或いは、内側面に３つの弧状の係合凹部３４２が凹設される。前記切替支持柱３３が第一ボール３３２を介して回転部３４の１つの係合凹部３４２に係合される。前記係合凹部３４２が回転部３４の内側面に弧状に凹設されることから、第一ボール３３２を安定して保持することができる。
【００２１】
図４に示すように、ラチェット仕組みを作動する時、スリーブ部材３０の切替支持柱３３が回転部３４の１つの係合凹部３４２に取り付けられるため、回転部３４が切替支持柱３３に対して自由に揺動かつ枢動し、一方の歯３４１を介して環装部材２０の内歯車２１に噛み合わされ、すなわち、第一実施例における回転部３４の上端の歯３４１が環装部材２０の内歯車２１に噛み合わされる。また、保持座３１を時計回りに回転すると、当接部材３３４の第二ボール３３６が当接穴３１３に接触しながら回転する。
本考案に係る回転可能な切替支持柱を備えるラチェット仕組みは、第二筒体３３５及び第二ボール３３６を有することから、作動の過程において、バネ３３３の一端が直接に保持座３１の当接穴３１３に当接することはないため、バネ３３３が変形する問題がなく、使用寿命を延ばすことができる。
【００２２】
図５に示すように、回転軸３２を回すことにより切替支持柱３３を回転部３４の底端と接近するように切り替え、この時、回転部３４の底端の歯３４１が環装部材２０の内歯車２１に噛み合わされ、保持座３１を固定して反時計回りに回転することができない。
【００２３】
本考案に係る回転可能な切替支持柱を備えるラチェット仕組みは、当接部材３３４を有し、該当接部材３３４が第二ボール３３６を介して回転可能に保持座３１の当接穴３１３に接触しながら回転することから、バネ３３３の一端が直接に保持座３１の枢設軸３１２に当接することはなく、バネ３３３の使用寿命を延ばすことができる。
【００２４】
図６に示すように、本考案に係る回転可能な切替支持柱を備えるラチェット仕組みにおける第二実施例は、殆ど第一実施例と同一であるが、以下の点において異なる。その当接部材３３４Ａは、円筒状を呈し、一端に第二バネ凹部３３４１Ａが凹設され、他端に当接凸部３３４２Ａが凸設され、バネ３３３の他端が当接部材３３４Ａの第二バネ凹部３３４１Ａに当接するように嵌め込まれ、該当接凸部３３４２Ａが半球状に設けられるため、該当接凸部３３４２Ａが保持座３１の当接穴３１３に当接する。第二実施例において、操作方式及び効果が第一実施例と同一であることから、詳細な説明を省略する。
【符号の説明】
【００２５】
１０          ヘッド
１１          組立空間
２０          環装部材
２１          内歯車
３０          スリーブ部材
３１          保持座
３１１        挿設部
３１２        枢設軸
３１３        当接穴
３１４        収容溝
３１５        連通穴
３１６        位置決め部
３２          回転軸
３２１        盤部
３２２        軸部
３２３        収容穴
３３          切替支持柱
３３１        第一筒体
３３１１      第一バネ凹部
３３１２      第一ボール凹部
３３２        第一ボール
３３３        バネ
３３４        当接部材
３３４Ａ      当接部材
３３４１Ａ    第二バネ凹部
３３４２Ａ    当接凸部
３４          回転部
３４１        歯
３４２        係合凹部
３３５        第二筒体
３３５１      第二バネ凹部
３３５２      第二ボール凹部
３３６        第二ボール
【図１】
0003208832.tif 000003
【図２】
0003208832.tif 000004
【図３】
0003208832.tif 000005
【図４】
0003208832.tif 000006
【図５】
0003208832.tif 000007
【図６】
0003208832.tif 000008